(57)【特許請求の範囲】
【請求項１】
被処理水を浄水処理する濾過体と、この濾過体を囲繞して収納する容器本体とを具備し、前記容器本体は、有底筒状の筒状部と、この筒状部の開口部を覆う蓋部と、これら筒状部と蓋部とを組み合わせた時の接触部分に介在したパッキングと、この筒状部に蓋部を取り付けて一体化する取付手段とを有してなる浄水器において、
前記蓋部及び前記筒状部には、パッキングが筒状部外周面より内側に収納されるようにそれぞれの開口部端部が折り曲げられて、パッキングを押圧する押圧部が形成され、
前記取付手段が、前記筒状部と蓋部とのいずれか一方に一端部が固定され、他端部にネジ部が形成されて筒状部外周面に対し平行に配されたロッド部材と、該ロッド部材のネジ部にネジ嵌合される締結部材とを備え、筒状部と蓋部とを組み合わせた時に該ロッド部材の他端部が筒状部と蓋部とのいずれか他方に形成された貫通孔を通って外方に延出し、この他端部に前記締結部材をネジ嵌合して筒状部に蓋部を取り付け一体化することを特徴とする浄水器。
【請求項２】
請求項１記載の浄水器において、前記取付手段が、前記筒状部と蓋部とのいずれか一方に一端部が固定され、他端部に契合突起部が形成されて筒状部外周面に対し平行に配されたロッド部材と、該ロッド部材の契合突起部に嵌合される契合溝が形成された締結部材とを備え、筒状部と蓋部とを組み合わせた時に該ロッド部材の他端部が筒状部と蓋部とのいずれか他方に形成された貫通孔を通って外方に延出し、この他端部に前記契合溝が形成された締結部材を溝嵌合して筒状部に蓋部を取り付け一体化することを特徴とする浄水器。
【請求項３】
被処理水を浄水処理する濾過体と、この濾過体を囲繞して収納する容器本体とを具備し、前記容器本体は、有底筒状の筒状部と、この筒状部の開口部を覆う蓋部と、これら筒状部と蓋部とを組み合わせた時の接触部分に介在したパッキングと、この筒状部に蓋部を取り付けて一体化する取付手段とを有してなる浄水器において、
前記蓋部及び前記筒状部には、パッキングが筒状部外周面より内側に収納されるようにそれぞれの開口部端部が折り曲げられて、パッキングを押圧する押圧部が形成され、
前記取付手段が、前記筒状部と蓋部とのいずれか一方に筒状部外周面に対し平行に設けられ、ネジ孔が形成されている固定部と、前記筒状部と蓋部とのいずれか他方に形成された貫通孔に挿入されるとともに前記固定部のネジ孔に締結されるボルト部材とを備えてなることを特徴とする浄水器。
【発明の詳細な説明】
【０００１】
【産業上の利用分野】
本発明は、有機物、赤錆等を含む被処理水を濾過する浄水器にかかり、被処理水を濾過する濾過体と、この濾過体を収納する容器本体とを具備する浄水器に関するものである。
【０００２】
【従来の技術】
近年、地下に埋設された配管等の腐食や、水質汚染のために、赤錆、有機物、雑菌等を僅かに含む水が一般家庭に送水されるおそれがある。このため、各家庭の衛生面を向上させるため、コンパクトな浄水器が各家庭の水道に取り付けられるようになっている。この一般家庭用の浄水器としては、各種のタイプの浄水器が市販されている。この種の浄水器として、図１２に示すように、被処理水を濾過する濾過体２と、この濾過体２が収納されたカートリッジ１と、このカートリッジ１が着脱自在に収納された容器本体３とから構成されている。
【０００３】
この浄水器は、濾過体２の濾過能力が低下し、この濾過体２を取り替えるため、この濾過体２を有するカートリッジ１毎に取り替える。この際に、カートリッジ１の出し入れを容易にするため、筒状の容器本体３を、蓋部４と、筒状部５とに二分割した形状に形成する。これら蓋部４と筒状部５との間には、これらに密着するパッキング６を配置する。これら蓋部４と筒状部５との接続部分外周には、蓋部４と筒状部５とを接近させ、これらをパッキング６に密着させる締結バンド７を配する。この締結バンド７は、容器本体３の外周にリング状に配される断面視Ｕ字状のバンド本体（図示略）と、このバンド本体の端部に形成され、バンド本体のリングの内径を絞るネジ等の絞り部（図示略）とから構成されている。
【０００４】
【発明が解決しようとする課題】
ところで、前記浄水器にあっては、濾過体２を取り替えるため、カートリッジ１を取り替え、容器本体３を組み立てる必要がある。この容器本体３の組み立て作業は、蓋部４と筒状部５とを接近させ、この状態を保持させ、これら蓋部４と筒状部５との接続部分に締結バンド７を配し、この締結バンド７の絞り部を絞り、バンド本体の内径を絞る必要があった。このため、容器本体３の組み立て作業が面倒であった。
また、締結バンド７は蓋部４と筒状部５との接続部分外周に配されるので、容器本体３の中央部に突出部が形成され、浄水器の外観が損なわれ易いという問題があった。
【０００５】
本発明は前記課題を有効に解決するもので、組み立て作業性を向上させるとともに、外観が美しい浄水器を提供することを目的とする。
【０００６】
【課題を解決するための手段】
本発明の浄水器は、被処理水を浄水処理する濾過体と、この濾過体を囲繞して収納する容器本体とを具備し、前記容器本体は、有底筒状の筒状部と、この筒状部の開口部を覆う蓋部と、これら筒状部と蓋部とを組み合わせた時の接触部分に介在したパッキングと、この筒状部に蓋部を取り付けて一体化する取付手段とを有してなる浄水器において、
前記蓋部及び前記筒状部には、パッキングが筒状部外周面より内側に収納されるようにそれぞれの開口部端部が折り曲げられ、パッキングを押圧する押圧部が形成され、
前記取付手段が、前記筒状部と蓋部とのいずれか一方に一端部が固定され、他端部にネジ部が形成されて筒状部外周面に対し平行に配されたロッド部材と、該ロッド部材のネジ部にネジ嵌合される締結部材とを備え、筒状部と蓋部とを組み合わせた時に該ロッド部材の他端部が筒状部と蓋部とのいずれか他方に形成された貫通孔を通って外方に延出し、この他端部に前記締結部材をネジ嵌合して筒状部に蓋部を取り付け一体化することを前記課題の解決手段とした。
【０００７】
前記取付手段が、前記筒状部と蓋部とのいずれか一方に一端部が固定され、他端部に契合突起部が形成されて筒状部外周面に対し平行に配されたロッド部材と、該ロッド部材の契合突起部に嵌合される契合溝が形成された締結部材とを備え、筒状部と蓋部とを組み合わせた時に該ロッド部材の他端部が筒状部と蓋部とのいずれか他方に形成された貫通孔を通って外方に延出し、この他端部に前記契合溝が形成された締結部材を溝嵌合して筒状部に蓋部を取り付け一体化してもよい。
また、前記取付手段が、前記筒状部と蓋部とのいずれか一方に筒状部外周面に対し平行に設けられ、ネジ孔が形成されている固定部と、前記筒状部と蓋部とのいずれか他方に形成された貫通孔に挿入されるとともに前記固定部のネジ孔に締結されるボルト部材とを備えてもよい。
【０００８】
【作用】
本発明では、濾過体の濾過能力が低下した場合等により、この濾過体を取り替えるために、容器本体を分解し、組み立てる。この容器本体の組み立て作業にあっては、筒状部の開口部から濾過体を出し入れし、この濾過体を取り替え、筒状部の開口部を蓋部で覆い、この蓋部を筒状部に締結部材で取り付ける。この締結部材にロッド部材を取り付けることにより、ロッド部材を介して蓋部と筒状部とを位置決めする。このロッド部材を締結部材で締め付けることにより、筒状部と蓋部とが相対的に移動し、これら筒状部と蓋部との間が密封される。
【０００９】
以下、本発明の浄水器について、図１を参照しながら説明する。図１に示す浄水器は、被処理水を流して濾過する濾過体２と、この濾過体２を囲繞して収納するカートリッジ１と、このカートリッジ１を着脱自在に収納する容器本体３とを具備する。この容器本体３は、カートリッジ１のほぼ全体を覆うとともに、このカートリッジ１を出し入れする開口部１１が形成された有底筒状の筒状部５と、この筒状部５の開口部１１を覆う蓋部４と、筒状部５に蓋部４を取り付ける締結部材１２と、これら筒状部５と蓋部４との間に配され、これらの間を密封するパッキング６とを有する。
【００１０】
筒状部５の開口部１１には、筒状部５の中心を軸として均等に数分割された位置に、締結部材１２と嵌合されるロッド部材１３が配設されている。
容器本体３、締結部材１２、およびロッド部材１３の材質としては、ステンレス、鋳物、樹脂等各種材料を挙げることが出来る。特に好ましいものとして、ステンレスが挙げられるが、筒状部５及びロッド部材１３はステンレス、蓋部４及び締結部材１２は樹脂のように、目的に応じて各種材料を使いわけすることも出来る。ロッド部材１３及び筒状部５にステンレスの材料を使用する場合、筒状部５の開口部１１にロッド部材１３の一端をＴＩＧ溶接等によって固定するのが好ましく、これらに樹脂の材料を使用する場合、溶剤接着等が特に好ましい。
また、パッキング６の材質としては、ニトリルゴム、シリコンゴム、テフロン系等各種材料を挙げることが出来る。このとき、パッキング６の形状、寸法、及び硬度は耐圧の目標設定により任意に選択することができる。
【００１１】
このような本発明の浄水器の組み立て作業を図３を参照しながら説明する。
まず、蓋部４に設置されているカートリッジ取付部１７に、濾過体２を収納するカートリッジ１を取り付ける。筒状部５の開口部１１に、蓋部４に配設されたロッド貫通孔１５と同数取り付けられたロッド部材１３を、カートリッジ１の取り付けられた蓋部４のロッド貫通孔１５に貫通させて外方に延出させる。ロッド部材１３の貫通された他端には、ロッド部材先端ネジ部１６が設けられており、ここに締結部材１２をネジ嵌合して筒状部５に蓋部４を取り付け、パッキング６を押さえつけ一体化する。このとき、ロッド貫通孔１５から漏れのないように、シールパッキン１４を置き、締結部材１２をネジ嵌合させるときに併せて押さえる形となる。このシールパッキン１４の材質としては、前記パッキング６と同様、各種の材料を挙げることができる。
【００１２】
また、ロッド部材１３の一端に形成されているロッド部材先端ネジ部１６及び締結部材１２のネジ径、ネジピッチ、ネジ山数等、又、ロッド部材１３及び締結部材１２の配設される数量等は、浄水器の目標とする性能仕様に応じて任意に設定することができる。
さらに、蓋部４と筒状部５には、それぞれパッキング６を収納押圧シールする蓋部側押圧部１９及び筒状部側押圧部２０が開口部端部に折り曲げられて筒状部外周面より内側にパッキングが収納されるように形成されている。該形状は、浄水器の目標とする性能仕様に応じて、形状、材質、厚さ等をパッキング材６と併せて任意に設定することができる。
さらに、ロッド部材１３の一端に形成されているロッド部材先端ネジ部１６が必ずしもネジで形成されている必要はない。例えば、ロッド部材１３の一端が図８に示すような契合突起部３５を有し、締結部材１２側には、該契合突起部３５に嵌合される契合溝３６を内側に有する締結部材１２を使用してもよい。契合溝の形状に関しては、図９に示すように、種々の形状を任意に設定することが出来る。
【００１３】
本発明に使用する濾過体２を収納するカートリッジ１としては、活性炭、銀添着活性炭、繊維状活性炭、銀添着繊維状活性炭、粉末状活性炭、粉末状活性炭、蛇紋石、亜硫酸カルシウム等の吸着剤、又は、平膜、中空糸膜等の濾過膜、或いは、該吸着剤と該濾過膜との組み併せた濾過体を有するものであれば、従来公知の各種の構造のものが使用出来る。
【００１４】
以下、本発明の浄水器に使用されるカートリッジの一例を、図１を参照しながら水の流れを追って説明する。カートリッジ１は、蓋部４に配設されたカートリッジ取付部１７にネジ固定され、浄水集水室２５が液密に形成される。供給される被処理水は、蛇口に取り付けられた切換弁（図示略）を切り換えて、給水ホース２１に供給される。この給水ホース２１から給水口ユニット２２へ被処理水が入り、これが本体容器３内へ供給される。このとき、給水口ユニット２２の中には、逆流防止弁２３が配設されており、本体容器３内へ供給された被処理水は給水ホース２１側に逆流しない構造をとっている。本体容器３内に入った被処理水は、筒状部５とカートリッジ１との間を流れ、カートリッジ１に貫通形成されたカートリッジ通水孔２４よりカートリッジ１内部に送られる。このカートリッジ通水孔２４を通り、カートリッジ室内２６に入った被処理水は、カートリッジ室内２６の周囲を通り、不織布２ｃの部分を通過する。この不織布２ｃでは、被処理水の粗いゴミや鉄錆を除去する。
【００１５】
次に、被処理水は吸着剤層２ｂを通り、この吸着剤層２ｂで、水道水中のカルキ臭やカビ臭、その他有機化合物、有機溶剤等を吸着又は分解除去する。その後、濾過膜として中空糸膜層２ａで、微少物質、細菌類等の通過を阻止し、カートリッジ１の出口を通り、浄水集水室２５に浄水が集まる。集められた浄水は、浄水パイプ２８を通り、浄水出口２９から放水される。
【００１６】
濾過膜としては、細菌類等の通過を阻止することができ、１．０ｋｇ／ｃｍ２の水圧で、１．０ｌ／ｍ２・ｍｉｎ以上の透過率を有する濾過膜が好ましい。この濾過膜の素材としては、例えば、セルロース系、ポリオレフィン系、ポリスルフォン系、ポリビニルアルコール系、ＰＭＭＡ系等の各種材料を挙げることができる。このような濾過膜のうち、特に好ましいものとして、エチレン・酢酸ビニル共重合体の鹸化物（エチレン・ビニルアルコール共重合体）等の親水化剤で親水化処理されたポリオレフィン系多孔質中空糸膜が挙げられる。
【００１７】
蓋部４には、浄水器使用後、カートリッジ１と容器本体３との間の被処理水を抜く空気取り入れ弁３０が配設されている。また、筒状部５には、水抜きユニット３２が配設されている。浄水使用後、空気取り入れ弁３０を緩めて、容器本体３内に空気を取り入れると、水抜きユニット３２内の水抜き弁体３３が作動して、カートリッジ１と容器本体３との間の被処理水が水抜きホース３４を通して抜ける。被処理水を抜くことにより、浄水器内を衛生に保つとともに、使用する毎に新鮮な水を供給できる。
【００１８】
【実施例】
以下、実施例により本発明を具体的に説明する。
（実施例１）
図１に、本発明の浄水器の一実施例を示す。この浄水器は、蛇口に取り付けられた切換弁（図示略）を切り換えることにより、被処理水が給水ホース２１、給水口ユニット２２を通り容器本体３に入る構造をとる。給水口ユニット２２の中には、逆流防止弁２３を配設する。容器本体３（蓋部４、筒状部５）、ロッド部材１３、及び締結部材１２は、ステンレス（ＳＵＳ３０４）を使用する。容器本体３の厚みは、主に０．８ｍｍに設定する。
【００１９】
また、取り付け部のロッド部材１３の一端の先端はネジ状に形成し、図２に示すように、容器本体３の中心軸を中心として筒状体５の開口部１１に均等に三等分された位置に、ロッド部材１３の他端をＴＩＧ溶接する。ロッド部材先端ネジ部１６は、Ｍ６のネジとする。さらに、筒状部側押圧部２０は、シリコン材の線径５ｍｍ、硬度７８度のＯリングを使用する。カートリッジ１は、三菱レイヨン（株）製カートリッジ、品番ＫＣＯ８２７を使用し、蓋部４に配設されてあるカートリッジ取付部１７にネジ固定し、Ｏリング１８にて気密に固定し、浄水集水室２５を形成する。浄水パイプ２８は、浄水パイプジョイントに溶接され、浄水集水室２５に嵌合される。このとき、浄水パイプ２８、ジョイントＯリング３８にてシールされ、パイプナット２７で固定される。
【００２０】
また、図に示すように、空気取り入れ弁３０、弁用Ｏリング３１を蓋部４に取り付け、さらに、水抜きユニット３２、水抜きホース３４を筒状部５に取り付ける。
ここで、図２は、図１の浄水器を浄水パイプ２８側から見た外観図である。
上記浄水器のカートリッジ交換を行った結果、狭い台所のコーナーに固定されていても、カートリッジ交換が非常に容易であった。
また、浄水出口２９を封鎖して、給水ホース２１側より、水圧７．５ｋｇ／ｃｍ２で１５分間連続に印加したが、水漏れ等の心配はなかった。
【００２１】
（実施例２）
実施例１と同様の浄水器で、ロッド部材先端ネジ部１６をＭ５のネジとし、容器本体３の中心軸を中心として筒状部５の開口部１１に均等に四等分された位置に、ロッド部材他端をＴＩＧ溶接し、浄水器を作製する。
使用した結果、カートリッジ交換も容易であり、水圧７．５ｋｇ／ｃｍ２で１５分間印加し、その結果、耐水圧も問題なかった。
【００２２】
（実施例３）
実施例１と同様の浄水器で、ロッド部材先端ネジ部１６をＭ６のネジとし、容器本体３の中心軸を中心として筒状部５の開口部１１に均等に四等分された位置に、ロッド部材他端をＴＩＧ溶接し、浄水器を作製する。
使用した結果、カートリッジ交換も容易であり、水圧１１．５ｋｇ／ｃｍ２で１５分間印加し、その結果、耐水圧も問題なかった。
【００２３】
（実施例４）
実施例１と同様の浄水器で、ロッド部材１３の先端を契合突起部３５の形状にし、また、締結部材１２内側にも、図８に示すような契合溝３６を形成し、浄水器を作製する。
使用した結果、カートリッジ交換も容易であり、水圧７．５ｋｇ／ｃｍ２で１５分間印加し、その結果、耐水圧も問題なかった。
【００２４】
（実施例５）
この実施例５の浄水器は、図４に示すように、実施例１に比べ、蓋部４ａ、筒状部５ａ及びロッド部材１３ａの寸法が大きく異なる。この場合、蓋部４ａ側の外径を実施例１に比べ小さく出来る。このため、蓋部側押圧部１９、筒状部側押圧部２０、パッキング６の締め付け部を取付架台４０で覆い隠すことにより、より外観を良くすることができる。
【００２５】
（実施例６）
この実施例６の浄水器は、図５に示すように、蓋部４ｂにロッド部材１３ｂが固定され、筒状部５ｂにロッド貫通孔１５を形成し、筒状部５ｂ側に締結部材１２が形成されている点が大きく異なる。この場合も、蓋部４ｂ側はカートリッジ外形寸法に近い寸法に併せることができ、また、蓋部側押圧部１９、筒状部側押圧部２０、パッキング６の締め付け部を取付架台４０で覆い隠すことにより、より外観を良くすることができる。
【００２６】
（実施例７）
この実施例７の浄水器は、図６に示すように、浄水集水室２５、パイプナット２７、浄水パイプジョイント３７、浄水パイプ２８等が筒状部５ｃ側に配設され、さらに、蓋部４ｃにロッド部材１３ｃが固定され、筒状部５ｃにロッド貫通孔１５を設けて筒状部５ｃ側に締結部材１２が形成されている点が大きく異なる。浄水集水室２５が筒状部５ｃ側に設けられているため、必然的にカートリッジ１は逆方向に取り付けられる形態となり、浄水は浄水パイプ２８ｃの下側から上側へと送水され、浄水出口２９から浄水が送り出される。この場合も、蓋部４ｃ側はカートリッジ外形寸法に近い寸法に設定することができ、また、蓋部側押圧部１９、筒状部側押圧部２０、パッキング６の締め付け部を取付架台４０ｃで覆い隠すことにより、より外観を良くすることができる。
【００２７】
（実施例８）
この実施例８の浄水器は、図１０に示すように、筒状部５ｄの内壁に設けられた固定部５０と、蓋部４ｄに形成された貫通孔５１に挿入され、固定部５０に締結されるボルト部材５２とを備える点が大きく異なる。
固定部５０には、ボルト部材５２に嵌合されるネジ孔５０ａが形成されている。ボルト部材５２は、固定部５０のネジ孔５０ａに嵌合されるネジ部５２ａと、このネジ部５２ａの端部に一体形成され、蓋部４ｄの外側に配されるネジ頭部５２ｂとから構成されている。このネジ頭部５２ｂは、ネジ部５２ａや貫通孔５１よりも大きな径に形成されている。
【００２８】
この浄水器の組み立て作業は、図１１に示すように、ボルト部材５２のネジ部５２ａを蓋部４ｄの貫通孔５１に挿入する。この蓋部４ｄにボルト部材５２のネジ頭部５２ｂを当接させるとともに、このボルト部材５２のネジ部５２ａを固定部５０のネジ孔５０ａに嵌め合わす。こうしてボルト部材５２を固定部５０に締結させることにより、蓋部４ｄが筒状部５ｄに取り付けられる。
また、ボルト部材５２を固定部５０から取り外すことにより、蓋部４ｄが筒状部５ｄから取り外され、浄水器が分解される。
【００２９】
このようにボルト部材５２を固定部５０に締結させることにより、蓋部４ｄが固定部５ｄに取り付けられるので、浄水器の組み立て作業を簡便にすることができる。また、ボルト部材５２を固定部５０から取り外すことにより、浄水器を分解でき、浄水器の分解作業も簡便にすることができる。
なお、前記実施例では、筒状部５ｄに固定部５０を設け、蓋部４ｄ側にボルト部材５２を配したが、筒状部にボルト部材を固定し、このボルト部材を締結させる固定部を蓋部側に配してもよい。
【００３０】
【発明の効果】
以上説明したように、本発明の浄水器によれば、以下の効果を奏することができる。
本発明によれば、狭い場所に容器本体の筒状部側が固定されていても、締結部材の取り外しにより、カートリッジの交換が可能になる。容器本体を分割し、接近させて締結バンドで取り付ける場合、締結バンドが容器本体全周を覆う必要があり、かつ、締結バンドの絞り部を絞り、バンド本体自体の内径を絞る必要があるため、カートリッジ交換時、ある一定のスペースを必要とするため、狭い場所に浄水器を設置することは難しかった。
また、容器本体が円筒状でも、浄水器を繰り返し使用する際に、円筒部の中心が膨らむ傾向にあり、特に、容器本体を分割し、接近させて締結バンドで取り付けた場合、締結バンドが固く締まった状態となり、取り外しが非常に難しい状態になる。これは、容器本体を分割し、接近させてお互いにネジで取り付けた場合は、さらに、ひどい状態になる。この点、本発明の浄水器では、円筒状の上部をネジ固定するだけなので、問題は解消される。
さらに、容器本体を分割し、接近させて締結バンドで取り付けた場合、耐圧性に問題が生じる。同じ設計でも、本発明の浄水器の場合、ロッド部材及び締結部材のネジ径及び数を増加させるだけで、容易に耐圧性を増すことができる。
また、容器本体を分割し、接近させて締結バンドで取り付けた場合、容器本体の中心部近傍が必ず、締結バンドの寸法だけ大きくなる。特に、耐圧性を大きく設計する場合は、締結バンド外径はさらに大きくなるので、外観的に綺麗とはいい難い。この点、本発明の浄水器では、外観上の意匠的処理を綺麗に設計することが可能となる。
【図面の簡単な説明】
【図１】図１は、本発明の第一実施例の浄水器を示す構成図である。
【図２】図２は、図１の上部から見た外観図である。
【図３】図３は、図１の分解構成図である。
【図４】図４は、本発明の実施例５の浄水器を示す構成図である。
【図５】図５は、本発明の実施例６の浄水器を示す構成図である。
【図６】図６は、本発明の実施例７の浄水器を示す構成図である。
【図７】図７は、本発明の浄水器の締結部材、ロッド部材の断面図である。
【図８】図８は、本発明の浄水器の締結部材の断面図、およびロッド部材の平面図である。
【図９】図９は、本発明の浄水器の締結部材の断面図である。
【図１０】図１０は、本発明の実施例８の浄水器を示す構成図である。
【図１１】図１１は、図１０の分解構成図である。
【図１２】図１２は、従来の浄水器を示す構成図である。
【符号の説明】
２  濾過体
３  容器本体
４  蓋部
５  筒状部
６  パッキング
１１  開口部
１２  締結部材
１３  ロッド部材
３５  契合突起部
３６  契合溝
【図１】
0003628345.tif 000002
【図２】
0003628345.tif 000003
【図３】
0003628345.tif 000004
【図４】
0003628345.tif 000005
【図５】
0003628345.tif 000006
【図６】
0003628345.tif 000007
【図７】
0003628345.tif 000008
【図８】
0003628345.tif 000009
【図９】
0003628345.tif 000010
【図１０】
0003628345.tif 000011
【図１１】
0003628345.tif 000012
【図１２】
0003628345.tif 000013